(57)【要約】【課題】足場を設けなくても開口部を養生シートで覆うことができ、さらにこの養生シートの強固な取付状態を実現することができる養生器具の提供。【解決手段】建物に形成された開口部７を覆う養生シート１と、この養生シート１を支持する支持材２と、この支持材２を開口部７の上部に固定する支持材固定部とを備え、養生シート１は、裏面側の上部に縦断面が鉛直方向に沿って凹凸状に形成されると共に、支持材２に沿って横設され、支持材２が挿入された３つの支持材挿入部１ａを有し、これらの３つの支持材挿入部１ａは、支持材２が挿入された部分よりも上側の支持材挿入部１ａが自立するように形成された。【選択図】図１
2014001549.tif 000002
【特許請求の範囲】
【請求項１】
建物に形成された開口部を覆う養生シートと、
この養生シートを支持する支持材と、
この支持材を前記開口部の上部に固定する支持材固定部とを備え、
前記養生シートは、
裏面側の上部に縦断面が鉛直方向に沿って凹凸状に形成されると共に、前記支持材に沿って横設され、前記支持材が挿入された複数の支持材挿入部を有し、
これらの複数の支持材挿入部は、前記支持材が挿入された部分よりも上側の支持材挿入部が自立するように形成されたことを特徴とする養生器具。
【請求項２】
請求項１に記載の養生器具において、
前記支持材挿入部は、前記支持材を露出させる切欠き部を有することを特徴とする養生器具。
【請求項３】
請求項１又は２に記載の養生器具において、
前記支持材固定部は、
前記開口部に伸縮可能に設けられ、鉛直方向に沿って配置された伸縮部と、
この伸縮部の上端に設けられ、前記建物のうち前記開口部を形成する部分に当接して前記支持材を保持する支持材保持部とを有することを特徴とする養生器具。
【発明の詳細な説明】
【技術分野】
【０００１】
本発明は、建物に形成された開口部を覆う養生器具に関する。
【背景技術】
【０００２】
一般的に、建物に形成された開口部を覆うものとして養生器具が設けられる。例えば、新設エレベータにおける乗場の出入口のドアの据付前及びエレベータの改修工事における乗場の出入口のドアが一時的に撤去された状態であると、ドア据付部分に開口部が形成される。そのため、作業員や開口部の前を通る通行人の安全を確保するために、開口部を養生器具で塞ぐ必要があった。
【０００３】
そこで、このような養生器具の従来技術の１つとして、乗場開口面積より大きな表面積を有する養生シートと、この養生シートの幅方向に装着され開口部幅寸法より大きな長さ寸法を有する棒状体と、この棒状体と昇降路内に組上げた作業足場材とを連結し、養生シートで開口を覆うように棒状体を支持する連結体とを備え、開口部頂部壁面及び、開口乗場側壁面にそれぞれ当接するよう配設される第１及び第２の片から成る略Ｌ状体と、この第２の片に設けられ、棒状体が取付けられる取付部とを含んで成り、第１の片と足場材とを連結体により連結するエレベータ乗場開口部の養生装置が提案されている（例えば、特許文献１参照）。
【０００４】
また、養生装置ではないが、シートを保持する従来技術の１つとして、台座と、この台座に立設される支柱と、この支柱の上端側に設けられる上の保持部と、台座又は支柱の下端側に設けられる下の保持部とを備え、この上下の保持部は、柔軟な表示シートの上下の端部を着脱可能に保持できるものとなされており、又、表示シートが上下方向で張った状態となるように張力を付与できるよう、上の保持部を支柱に対して上下動可能とし、且つ上の保持部を、表示シートに所要の張力を付与した状態で固定可能とした表示スタンドが提案されている（例えば、特許文献２参照）。
【先行技術文献】
【特許文献】
【０００５】
【特許文献１】特開２０００−５３３５０号公報
【特許文献２】特開２００３−１５００９４号公報
【発明の概要】
【発明が解決しようとする課題】
【０００６】
特許文献１に開示された従来技術のエレベータ乗場開口部の養生装置は、上述したように養生シートの上部に取付けられた棒状体と、足場として昇降路内に組上げた作業足場材とを連結体で連結して設置しているので、昇降路内に足場が設置されている状況でのみ適用することができ、昇降路内に足場がない場合には適用することができないことが問題になっている。
【０００７】
また上述した特許文献２に開示された従来技術の表示スタンドの表示シートの固定する構造を養生シートに適用して、開口部を覆う場合では、養生シートを開口部の上部まで引き上げて覆うことができる。しかし、従来技術の表示スタンドはシートの上部が固定されておらず、養生シートに適用した場合、開口部に対して養生シートの取付状態が不安定になってしまうので、養生シートに荷重がかかった場合に、当該表示スタンド自体が傾倒し易くなってしまう。仮に当該表示スタンドが傾倒すると、養生シートと開口部との間に隙間が生じて開口部が開放されるので、開口部を養生シートで十分に覆うことができないことが懸念されている。
【０００８】
本発明は、このような従来技術の実情からなされたもので、その目的は、足場を設けなくても開口部を養生シートで覆うことができ、さらにこの養生シートの強固な取付状態を実現することができる養生器具を提供することにある。
【課題を解決するための手段】
【０００９】
上記の目的を達成するために、本発明の養生器具は、建物に形成された開口部を覆う養生シートと、この養生シートを支持する支持材と、この支持材を前記開口部の上部に固定する支持材固定部とを備え、前記養生シートは、裏面側の上部に縦断面が鉛直方向に沿って凹凸状に形成されると共に、前記支持材に沿って横設され、前記支持材が挿入された複数の支持材挿入部を有し、これらの複数の支持材挿入部は、前記支持材が挿入された部分よりも上側の支持材挿入部が自立するように形成されたことを特徴としている。
【発明の効果】
【００１０】
本発明の養生器具によれば、足場を設けなくても開口部を養生シートで覆うことができ、さらにこの養生シートの強固な取付状態を実現することができる。前述した以外の課題、構成及び効果は、以下の実施形態の説明により明らかにされる。
【図面の簡単な説明】
【００１１】
【図１】本発明に係る養成器具の一実施形態の構成を示す図であり、左図は右側面図、右図は正面図である。
【図２】本実施形態の要部の構成を説明する図であり、左図は養生シートの上部の右側面図、右図は養生シートの正面図である。
【図３】本実施形態の要部の構成を説明する図であり、左図は養生シートの左側面図、右図は養生シートの背面図である。
【図４】本実施形態の養生シートを取外した状態の要部の構成を説明する図であり、中央図は支持材固定部の構成を示す図、左図はジャッキベースの構成を示す図、右上図は支持材保持部の構成を示す図、右下図は幅木固定材の構成を示す図である。
【発明を実施するための形態】
【００１２】
以下、本発明に係る養生器具を実施するための形態を図に基づいて説明する。なお、以下の説明において、図１に示す昇降路側から乗場側へ向かう方向を前方向とし、乗場側から昇降路側へ向かう方向を後方向とする。
【００１３】
本発明に係る養生器具の一実施形態は、建物に形成された開口部として、例えば図１、図４に示すようにエレベータの新設及び改修工事において乗場の出入口のドアが一時的に撤去されたときに生じる開口部７に設けられる。本実施形態は、乗場と昇降路を区画する壁２５に形成された開口部７を覆う養生シート１と、この養生シート１を支持する支持材２と、この支持材２を開口部７の上部に固定する支持材固定部とを備えている。
【００１４】
養生シート１は、図２、図３に示すように裏面側の上部に縦断面が鉛直方向に沿って凹凸状に形成されると共に、支持材２に沿って横設され、支持材２が挿入された複数の支持材挿入部１ａを有し、これらの複数の支持材挿入部１ａは、支持材２が挿入された部分よりも上側の支持材挿入部１ａが自立するように形成されている。
【００１５】
具体的には、養生シート１は、例えば図１に示すように開口部７の開口面積よりも大きく設定され、不燃性のシート状部材から成っており、開口部７の前方位置で開口部７の全面が覆われるように左右方向に沿って配置されている。また、養生シート１は、作業員や開口部７の前を通る通行人に対して開口部７の注意を喚起する注意喚起部を有しており、この注意喚起部は、例えば前面の中央部に開口部７に注意する旨の警告が表示された警告表示部２１から成っている。支持材２は、例えばパイプ状の形状の部材から成っている。
【００１６】
本実施形態では、複数の支持材挿入部１ａは、例えば図２に示すように３つの支持材挿入部１ａから構成されている。これらの３つの支持材挿入部１ａは、例えば養生シート１の上部を後方側（昇降路側）へ折曲げて重ね合わせ、重なり部分の下端部が左右方向に沿って配設されたハトメ１３ａ，１４ａ，１５ａ，１３ｂ，１４ｂ，１５ｂで固定されている。そして、３つの支持材挿入部１ａは、例えば支持材２の外径に合わせて頂部が後方へ突出するように上下に並んだ３つの山なりを形成した状態で、これらの各山なりの上下両端の重なり部分（縫合部）１１を縫合することで形成されている。
【００１７】
さらに、本実施形態では、支持材挿入部１ａは、支持材２を露出させる切欠き部１２ａ，１２ｂ（便宜的に、図１に示す左側の切欠き部を１２ａ、図１に示す右側の切欠き部を１２ｂと付す）を有している。なお、支持材２は、例えば３つの支持材挿入部１ａのうち上から２番目の支持材挿入部に挿入されており、切欠き部１２ａ，１２ｂは、例えば予め後述の支持材保持部１７ａ，１７ｂの位置に合わせて支持材挿入部１ａの裏側に左右方向に離間して設けられている。
【００１８】
また、図１〜図３に示すように、ハトメ１３ａ，１３ｂは、例えば養生シート１の左右の両端部にそれぞれ配置されている。さらに、ハトメ１４ａ，１５ａは、例えば切欠き部１２ａの左右の両端部の下方にそれぞれ配置され、ハトメ１５ｂ，１４ｂは、例えば切欠き部１２ｂの左右の両端部の下方にそれぞれ配置されている。
【００１９】
上述した支持材固定部は、図３、図４に示すように開口部７に伸縮可能に設けられ、鉛直方向に沿って配置された伸縮部１６ａ，１６ｂ（便宜的に、図４に示す左側の伸縮部を１６ａ、図４に示す右側の伸縮部を１６ｂと付す）と、この伸縮部１６ａ，１６ｂの上端に設けられ、建物のうち開口部７を形成する部分、すなわち壁２５の天井部分に当接して支持材２を保持する支持材保持部１７ａ，１７ｂ（便宜的に、図４の中央図に示す左側の支持材保持部を１７ａ、図４の中央図に示す右側の支持材保持部を１７ｂと付す）とを有している。
【００２０】
各支持材保持部１７ａ，１７ｂは、例えば図４の右上図に示すように壁２５の天井部分に係合するＬ字型のブラケット６ａ，６ｂと、ブラケット６ａ，６ｂに一体に設けられ、支持材２が凹部に係合するコ字型の係合部材６Ａ，６Ｂとを具備している。各ブラケット６ａ，６ｂは、例えば水平方向に配置された水平ブラケット片６ａ１，６ｂ１と、水平ブラケット片６ａ１，６ｂ１の前後の両端のうち前端（乗場側の一端）に設けられ、鉛直方向に配置された鉛直ブラケット片６ａ２，６ｂ２とから構成されている。なお、Ｌ字型のブラケット６ａ，６ｂは、例えば１枚の平板を折曲げて形成されている。
【００２１】
本実施形態は、係合部材６Ａ，６Ｂは、例えば水平方向に配置され、上面に支持材２が当接する水平係合片６Ａ１，６Ｂ１と、この水平係合片６Ａ１，６Ｂ１の前後の両端にそれぞれ設けられ、鉛直方向に配置された一対の鉛直係合片６Ａ２，６Ｂ２とから構成されている。なお、コ字型の係合部材６Ａ，６Ｂは、例えば１枚の平板を折曲げて形成されている。
【００２２】
一方、各伸縮部１６ａ，１６ｂは、例えば図４の中央図に示すように互いに左右方向に離間して鉛直方向に沿って配置され、上端がブラケット６ａ，６ｂの水平ブラケット片６ａ１，６ｂ１の下面に溶接等で取付けられた支柱３ａ，３ｂと、支柱３ａ，３ｂの下端部に設けられたジャッキベース４ａ，４ｂとを具備している。なお、各支柱３ａ，３ｂは、図４の中央図に示すように中心線Ａに対して左右対称に配置されており、円筒状に形成されている。
【００２３】
各ジャッキベース４ａ，４ｂは、例えば図４の左図に示すように乗場の床面８に載置された基台１８ａ，１８ｂと、雄螺子が形成され、基台１８ａ，１８ｂに立設されて上端部が支柱３ａ，３ｂの内側に挿入された軸部２２ａ，２２ｂと、軸部２２ａ，２２ｂの雄螺子に螺合する雌螺子が形成され、軸部２２ａ，２２ｂに対して回動することで上下に移動するジャッキベースハンドル２３ａ，２３ｂとから構成されている。
【００２４】
本実施形態では、図４の中央図に示すように支柱３ａの下部がジャッキベースハンドル２３ａと係合すると共に、支柱３ｂの下端がジャッキベースハンドル２３ｂ上に載置されており、ジャッキベースハンドル２３ａ，２３ｂが回動して上下に移動することで伸縮部１６ａ，１６ｂの全長が調整可能になっている。
【００２５】
また、本実施形態は、図１に示すように養生シート１の下端に設けられた幅木９と、幅木９の両端を乗場の床面に固定する幅木固定材５ａ，５ｂ（便宜的に、図１に示す左側の幅木固定材を５ａ、図１に示す右側の幅木固定材を５ｂと付す）と、図１、図３に示すようにハトメ１４ａ，１５ａ，１４ｂ，１５ｂに挿通され、養生シート１を伸縮部１６ａ，１６ｂに固定する固定紐２０ａ，２０ｂ（便宜的に、図１に示す左側のハトメ１４ａ，１５ａに挿通させる固定紐を２０ａ、図１に示す右側のハトメ１４ｂ，１５ｂに挿通させる固定紐を２０ｂと付す）とを備えている。
【００２６】
幅木９は、例えばシート１の下端に合わせて左右方向に延設され、全長がシート１の左右方向の長さよりも大きく設定されている。また、各幅木固定材５ａ，５ｂは、例えば図４の右下図に示すように水平方向に配置され、床面８に着脱可能に取付けられた第１の固定片５ａ１，５ｂ１と、第１の固定片５ａ１，５ｂ１の両端のうち前端（乗場側の一端）から上方へ突出し、鉛直方向に配置された第２の固定片５ａ２，５ｂ２と、第１の固定片５ａ１，５ｂ１の両端のうち後端（昇降路側の一端）から上方へ突出し、鉛直方向に配置された第３の固定片５ａ３，５ｂ３とから構成されている。
【００２７】
各第１の固定片５ａ１，５ｂ１は、例えば前後方向の幅が幅木９の下面の前後方向の幅に合わせて設定されており、各第３の固定片５ａ３，５ｂ３は、例えば第２の固定片５ａ２，５ｂ２よりも高さが大きく設定されている。そして、幅木９は、図１に示すようにこれらの第１の固定片５ａ１，５ｂ１、第２の固定片５ａ２，５ｂ２、及び第３の固定片５ａ３，５ｂ３で形成された凹部に係合するようになっている。
【００２８】
次に、本実施形態に係る養生器具の設置作業を図１、図４に基づいて詳細に説明する。
【００２９】
本実施形態では、まず図４に示すように設置作業を行う作業員が開口部７の間口の高さに合わせて伸縮部１６ａ，１６ｂの全長を設定する。すなわち、ジャッキベース４ａ，４ｂのジャッキベースハンドル２３ａ，２３ｂを回動して調整しておく。次に、作業員は、伸縮部１６ａ，１６ｂ、及びこれと一体となった支持材保持部１７ａ，１７ｂを、養生シート１の切欠き部１２ａ，１２ｂの間隔と同じ間隔だけ左右方向に離間して床面８に設置する。
【００３０】
そして、作業員は、支持材保持部１７ａ，１７ｂにおけるブラケット６ａ，６ｂの水平ブラケット片６ａ１，６ｂ１の上面を壁２５の開口部７における上面部分に当接させ、ジャッキベース４ａ，４ｂのジャッキベースハンドル２３ａ，２３ｂを回動することにより、ジャッキベース４ａ，４ｂの基台１８ａ，１８ｂ及び水平ブラケット片６ａ１，６ｂ１を床面８及び壁２５の開口部７における上面部分にそれぞれ圧接させ、伸縮部１６ａ，１６ｂ及び支持材保持部１７ａ，１７ｂが開口部７に取付けられる。その後、作業員は、床面８に設置されたジャッキベース４ａ，４ｂの外側の側方に幅木固定材５ａ，５ｂをそれぞれ設置する。
【００３１】
次に、作業員は、図１に示すように開口部７の開口の高さを測定した後、養生シート１の３つの支持材挿入部１ａのうち開口部７の開口の高さに相当する支持材挿入部に支持材２を挿入する。本実施形態では、支持材２は３つの支持材挿入部１ａのうち上から２番目の支持材挿入部に挿入されている。このとき、養生シート１の裏面には切欠き部１２ａ，１２ｂが設けられているので、支持材２は切欠き部１２ａ，１２ｂにおいて後方側へ露出されている。この切欠き部１２ａ，１２ｂは養生シート１の裏面にのみ設けられているため、養生シート１の表面側からは開口部７は見えない構造となっている。
【００３２】
次に、作業員は、養生シート１の上部、あるいは支持材２を持上げ、支持材２を支持材保持部１７ａ，１７ｂにおける係合部材６Ａ，６Ｂの凹部に係合させて、支持材２を係合部材６Ａ，６Ｂの水平係合片６Ａ１，６Ｂ１に載置又は固設する。このように養生シート１を設置すると、養生シート１において支持材２が挿入された上から２番目の支持材挿入部１ａよりも上側の支持材挿入部１ａが自立するので、開口部７の全面が養生シート１で覆われる。
【００３３】
次に、作業員は、養生シート１の下端に取付けられた幅木９を幅木固定材５ａ，５ｂの凹部に係合させて幅木９の両端を乗場の床面８に固定する。そして、作業員は、固定紐２０ａ，２０ｂを養生シート１のハトメ１４ａ，１５ａ，１４ｂ，１５ｂに通して締結することにより、養生シート１を伸縮部１６ａ，１６ｂに固定し、本実施形態に係る養生器具の設置作業を終了する。
【００３４】
このように構成した本実施形態によれば、養生シート１の上部に支持材２を挿入する３つの支持材挿入部１ａが設けられており、これらの３つの支持材挿入部１ａのうち上から２番目の支持材挿入部に支持材２が挿入された状態で、支持材２が支持材固定部の伸縮部１６ａ，１６ｂ及び支持材保持部１７ａ，１７ｂによって開口部７の上部に固定されるので、昇降路内に足場を設置しなくても開口部７を養生シート１で覆うことができる。すなわち、本実施形態に係る養生器具は、昇降路内に足場が設置されていない状況であっても適用することができるので、優れた汎用性を得ることができる。
【００３５】
特に、本実施形態は、支持材２を支持材保持部１７ａ，１７ｂにおける係合部材６Ａ，６Ｂの水平係合片６Ａ１，６Ｂ１上に載置又は固設した際に、支持材２が挿入された上から２番目の支持材挿入部１ａの凸状の山なり部分が裏側方向（後方）へ引っ張られる。そのため、各支持材挿入部１ａの上下両端の縫合部１１に引っ張られる力が加わるので、養生シート１において支持材２が挿入された上から２番目の支持材挿入部１ａよりも上側の支持材挿入部１ａが自立する。これにより、開口部７の上部に隙間が形成されることを抑制できるので、開口部７の全面を養生シート１で確実に覆うことができる。なお本実施形態では、上から２番目の支持材挿入部１ａに支持材２を挿入した例を挙げて説明しているが、他の支持材挿入部１ａに支持材２を挿入した場合であっても同様の作用を奏することができる。このような自立構成をとることで、折り返し部の剛性が抑えられ、収納時には養生シート１を丸めて収納することができる。なお、収納性の向上が不要であったり、合成を調整して収納の問題を解決する構成をとることが可能であれば、支持材挿入部１ａを自立させる構成としては、このような構成のほか、支持材挿入部１ａを構成する折り返し部分の布地を厚くしたり、支持材挿入部１ａを構成する折り返し部分に板材などを挿入したりして自立させる構成であってもよい。
【００３６】
そして、本実施形態は、上述したように養生シート１の上部が支持材２、伸縮部１６ａ，１６ｂ、及び支持材保持部１７ａ，１７ｂを介して開口部７の上部に固定されていることから、養生シート１に荷重がかかっても、開口部７に対して養生シート１が位置ずれしたり、あるいは傾くことを防止できるので、開口部７を養生シート１で十分に覆うことができる。このように、本実施形態に係る養生器具は、足場を設けなくても開口部７を養生シート１で覆うことができ、さらにこの養生シート１の強固な取付状態を実現することができるので、作業員や開口部７の前を通る通行人の安全性を向上させることができる。
【００３７】
また、本実施形態は、切欠き部１２ａ，１２ｂが支持材挿入部１ａの裏側に左右方向に離間して設けられているので、支持材２を支持材挿入部１ａに挿入した際に、支持材２が切欠き部１２ａ，１２ｂで露出する。そのため、支持材２が支持材挿入部１ａに挿入された状態でも、切欠き部１２ａ，１２ｂにより支持材２の露出した部分を係合部材６Ａ，６Ｂの凹部に係合させることができるので、支持材２の取付作業において支持材挿入部１ａが邪魔になることがなく、作業性に優れている。
【００３８】
さらに、本実施形態は、養生シート１の大きさを考慮して、伸縮部１６ａ，１６ｂ、及びこれと一体となった支持材保持部１７ａ，１７ｂを、養生シート１の切欠き部１２ａ，１２ｂの間隔と同じ間隔だけ左右方向に離間して開口部７に配置しておけば、切欠き部１２ａ，１２ｂにより支持材２の露出した部分を係合部材６Ａ，６Ｂの凹部に係合させるだけで養生シート１の位置を開口部７に合わせることができる。これにより、開口部７に対する養生シート１の位置決めを容易に行うことができ、高い利便性を確保することができる。
【００３９】
また、本実施形態は、ジャッキベース４ａ，４ｂのジャッキベースハンドル２３ａ，２３ｂが回動して軸部２２ａ，２２ｂを上下に移動することにより、伸縮部１６ａ，１６ｂが軸部２２ａ，２２ｂの範囲内で自在に伸縮するので、養生シート１を覆う開口部７の間口の高さに合わせて伸縮部１６ａ，１６ｂの全長を調整することができる。これにより、間口の高さが異なる開口部７に対しても、伸縮部１６ａ，１６ｂ及び支持材保持部１７ａ，１７ｂを取付けることができるので、汎用性を向上させることができる。
【００４０】
さらに、本実施形態は、伸縮部１６ａ，１６ｂの全長をジャッキベース４ａ，４ｂのジャッキベースハンドル２３ａ，２３ｂで調整して開口部７の間口の高さに合わせ、ジャッキベース４ａ，４ｂの基台１８ａ，１８ｂと支持材保持部１７ａ，１７ｂにおけるブラケット６ａ，６ｂの水平ブラケット片６ａ１，６ｂ１を床面８及び壁２５の天井部分にそれぞれ圧接させるようにしたので、伸縮部１６ａ，１６ｂを床面８に立設させた状態で伸縮部１６ａ，１６ｂ及び支持材保持部１７ａ，１７ｂを開口部７に簡単に固定することができる。
【００４１】
また、本実施形態は、養生シート１が下端に取付けられた幅木９の自重で下方に引っ張られており、ハトメ１４ａ，１５ａ，１４ｂ，１５ｂに通した固定紐２０ａ，２０ｂで伸縮部１６ａ，１６ｂの支柱３ａ，３ｂに固定されているので、養生シート１を張った状態で維持することができ、開口部７に対する密閉性を高めることができる。さらに、本実施形態は、養生シート１の前面の中央部に開口部７に注意する旨の警告が表示されているので、作業員や開口部７の前を通る通行人に対して開口部７の存在を容易に知らせることができる。
【００４２】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００４３】
また、本実施形態は、複数の支持材挿入部１ａの個数が３つである場合について説明したが、この場合に限らず、複数の支持材挿入部１ａの個数は２つ又は４つ以上であってもても良い。さらに、本実施形態は、支持材２は３つの支持材挿入部１ａのうち上から２番目の支持材挿入部に挿入された場合について説明したが、この場合に限らず、支持材２は開口部７の間口の高さに合わせた上で２番目以外の支持材挿入部に挿入されても良い。
【符号の説明】
【００４４】
１  養生シート
１ａ  支持材挿入部
２  支持材
３ａ，３ｂ  支柱
４ａ，４ｂ  ジャッキベース
５ａ，５ｂ  幅木固定材
５ａ１，５ｂ１  第１の固定片
５ａ２，５ｂ２  第２の固定片
５ａ３，５ｂ３  第３の固定片
６Ａ，６Ｂ  係合部材
６Ａ１，６Ｂ１  水平係合片
６Ａ２，６Ｂ２  鉛直係合片
６ａ，６ｂ  ブラケット
６ａ１，６ｂ１  水平ブラケット片
６ａ２，６ｂ２  鉛直ブラケット片
７  開口部
９  幅木
１１  縫合部
１２ａ，１２ｂ  切欠き部
１３ａ，１４ａ，１５ａ，１３ｂ，１４ｂ，１５ｂ  ハトメ
１６ａ，１６ｂ  伸縮部
１７ａ，１７ｂ  支持材保持部
１８ａ，１８ｂ  基台
２０ａ，２０ｂ  固定紐
２２ａ，２２ｂ  軸部
２３ａ，２３ｂ  ジャッキベースハンドル
【図１】
2014001549.tif 000003
【図２】
2014001549.tif 000004
【図３】
2014001549.tif 000005
【図４】
2014001549.tif 000006